(57)【要約】 【課題】  光照射による表示範囲の拡張が充分になされるようにする。【解決手段】  光照射の方向を異ならせた多数個の発光ダイオード２２が１つの基板２１に搭載されている。第１の群の発光ダイオード２２ａは、基板２１の中央部分に配置されて光照射が基板２１と直交する方向へ向けられている。第２の群の発光ダイオード２２ｂは、第１の群の発光ダイオード２２ａの周囲に放射状に配置され光照射が基板２１に対して傾斜する方向へ向けられている。【選択図】        図１
2005208396.tif 000002
【特許請求の範囲】
【請求項１】
光照射の方向を異ならせた多数個の発光ダイオードが１つの基板に搭載された発光表示装置において、第１の群の発光ダイオードは基板の中央部分に配置されて光照射が基板と直交する方向へ向けられ、第２の群の発光ダイオードは第１の群の発光ダイオードの周囲に放射状に配置され光照射が基板に対して傾斜する方向へ向けられていることを特徴とする発光表示装置。
【請求項２】
請求項１の発光表示装置において、第２の群の発光ダイオードは底部が基板に固定された台座に傾斜して設けられている取付面に当接されリード線が台座の内部に設けられた配線溝に挿通されていることを特徴とする発光表示装置。
【請求項３】
請求項１または２の発光表示装置において、発光ダイオードは光照射を拡散する共通のレンズ体で覆われていることを特徴とする発光表示装置。
【請求項４】
請求項１〜３のいずれかの発光表示装置において、発光ダイオードに接続される回路用素子は第２の群の発光ダイオードの間のスペースに配置されて基板に搭載されていることを特徴とする発光表示装置。
【発明の詳細な説明】
【技術分野】
【０００１】
本発明は、光源として発光ダイオード（ＬＥＤ）を使用した発光表示装置に係る技術分野に属する。
【背景技術】
【０００２】
各種の表示に利用される発光表示装置の光源としては、光照射を拡散させて表示範囲を拡張することのできる白熱灯が広く用いられている。然しながら、白熱灯では発熱量，消費電力が多く発光表示装置の構造設計，設置場所に制約が伴うことから、発光表示装置の光源として発光ダイオードが用いられるようになってきている。
【０００３】
従来、発光ダイオードを用いた発光表示装置としては、例えば、以下に記載のものが知られている。
【特許文献１】実用新案登録第３０１９８４５号公報  特許文献１には、光照射の方向を異ならせた多数個の発光ダイオードが１つの基板に縦横列の配置で搭載された発光表示装置が記載されている。
【０００４】
特許文献１に係る発光表示装置は、光照射に直進性のある発光ダイオードを光照射の方向を異ならせて多数個配置することで表示範囲を拡張する光照射の拡散性を確保するとともに、発光ダイオードの特性である発熱量，消費電力の少なさを利用しようとするものである。
【発明の開示】
【発明が解決しようとする課題】
【０００５】
特許文献１に係る発光表示装置では、発光ダイオードが縦横列で配置され各列の間の方向へ光照射の方向を設定することができないため、光照射による表示範囲の拡張が充分になされないという問題点がある。
【０００６】
本発明は、このような問題点を考慮してなされたもので、光照射による表示範囲の拡張が充分になされる発光表示装置を提供することを課題とする。
【課題を解決するための手段】
【０００７】
前述の課題を解決するため、本発明に係る発光表示装置は、特許請求の範囲の各請求項に記載の手段を採用する。
【０００８】
即ち、請求項１では、光照射の方向を異ならせた多数個の発光ダイオードが１つの基板に搭載された発光表示装置において、第１の群の発光ダイオードは基板の中央部分に配置されて光照射が基板と直交する方向へ向けられ、第２の群の発光ダイオードは第１の群の発光ダイオードの周囲に放射状に配置され光照射が基板に対して傾斜する方向へ向けられていることを特徴とする。
【０００９】
この手段では、第１の群の発光ダイオードの光照射の方向と第２の群の発光ダイオードの光照射の方向との組合わせで三次元的に光照射の方向を設定することができる。
【００１０】
また、請求項２では、請求項１の発光表示装置において、第２の群の発光ダイオードは底部が基板に固定された台座に傾斜して設けられている取付面に当接されリード線が台座の内部に設けられた配線溝に挿通されていることを特徴とする。
【００１１】
この手段では、第２の群の発光ダイオードが台座を介して基板に搭載される。
【００１２】
また、請求項３では、請求項１または２の発光表示装置において、発光ダイオードは光照射を拡散する共通のレンズ体で覆われていることを特徴とする。
【００１３】
この手段では、第１の群の発光ダイオードの光照射と第２の群の発光ダイオードの光照射との双方がレンズ体で拡散される。
【００１４】
また、請求項４では、請求項１〜３のいずれかの発光表示装置において、発光ダイオードに接続される回路用素子は第２の群の発光ダイオードの間のスペースに配置されて基板に搭載されていることを特徴とする。
【００１５】
この手段では、回路用素子が第２の群の発光ダイオードの間のスペースを利用して基板に搭載される。
【発明の効果】
【００１６】
本発明に係る発光表示装置は、第１の群の発光ダイオードの光照射の方向と第２の群の発光ダイオードの光照射の方向との組合わせで三次元的に光照射の方向を設定することができるため、光照射による表示範囲の拡張が充分になされる効果がある。
【００１７】
さらに、請求項２として、第２の群の発光ダイオードが台座を介して基板に搭載されるため、第２の群の発光ダイオードのリード線が屈曲された状態で露出されるのが避けられとともに、第２の群の発光ダイオードの光照射の方向が正確に固定され、第２の群の発光ダイオードの光照射の方向が確実に保持される効果がある。
【００１８】
さらに、請求項３として、第１の群の発光ダイオードの光照射と第２の群の発光ダイオードの光照射との双方がレンズ体で拡散されるため、光照射による表示範囲の拡張がより充分になされる効果がある。
【００１９】
さらに、請求項４として、回路用素子が第２の群の発光ダイオードの間のスペースを利用して基板に搭載されるため、発光ダイオードの光照射の障害となることなく回路用素子が基板に搭載される効果がある。
【発明を実施するための最良の形態】
【００２０】
以下、本発明に係る発光表示装置を実施するための最良の形態を図面に基づいて説明する。
【００２１】
この形態では、ガラスカバー１１，取付用台板１２，取付用ボルト１３，配線コード１４，防水リング１５からなる外装部材１を備えて車両用表示灯として使用されるものを示してある。
【００２２】
ガラスカバー１１は、黄色，赤色等の必要な表示色に着色された比較的厚さのある特殊ガラスで中空の紡錘形に形成されている。
【００２３】
取付用台板１２は、絶縁性を有する合成樹脂材で円板形に形成され、ガラスカバー１１の開放部分に当接されて後述の内装部材２が収容される収容空間を形成する。
【００２４】
取付用ボルト１３は、取付用台板１２の外周縁付近に１８０度の角度を介して２個が貫通して設けられ、車両の車体への取付具となるとともに車両の電気回路の一方の極への接続端末となる。
【００２５】
配線コード１４は、取付用台板１２の中心部付近に１本が貫通して設けられ、車両の電気回路の他方の極への接続端末となる。
【００２６】
防水リング１５は、ゴム材，合成樹脂材でリングキャップ形に形成され、ガラスカバー１１，取付用台板１２の当接部分を外側から覆って継目を水密にカバーする。
【００２７】
外装部材１の取付用台板１２には、基板２１，発光ダイオード２２，台座２３，回路用素子２４，レンズ体２５等からなる内装部材２が取付けられている。
【００２８】
基板２１は、図２に示すように、絶縁性の合成樹脂で非円形に形成された基板本体２１ａと、基板本体２１ａの裏面（外装部材１の取付用台板１２側の面）にプリントされた導体パターン２１ｂと、基板本体２１ａに貫通されたスルーホール２１ｃ，配線コード孔２１ｄ，ネジ孔２１ｅとからなる。配線コード孔２１ｄには、導体パターン２１ｂに接続される引込まれた外装部材１の配線コード１４と外装部材１の取付用ボルト１３に接続される配線コード２６とが挿通される。この基板２１は、ネジ孔２１ｅに挿通されるネジ２７で外装部材１の取付用台板１２に取付けられている。
【００２９】
発光ダイオード２２は、第１の群の発光ダイオード２２ａと第２の群の発光ダイオード２２ｂとからなる。第１の群の発光ダイオード２２ａは、基板２１の中央部分に３個がほぼ放射状に配置されて光照射が基板２１と直交する方向へ向けられている。この第１の群の発光ダイオード２２ａは、リード線が表面から基板２１のスルーホール２１ｃに挿通されて導体パターン２１ｂに接続されることで基板２１に搭載されている。第２の群の発光ダイオード２２ｂは、第１の群の発光ダイオード２２ａの周囲に６個が放射状に配置され光照射が基板２１に対して傾斜する方向へ向けられている。この第２の群の発光ダイオード２２ｂは、リード線が表面から台座２３を介して基板２１のスルーホール２１ｃに挿通されて導体パターン２１ｂに接続されることで基板２１に搭載されている。上記発光ダイオード２２ａ及び２２ｂの個数は、本例に限定されるものではない。
【００３０】
台座２３は、図３に詳細に示されるように、絶縁性の合成樹脂材で変形の方形ブロックに形成され、外側上部に第２の群の発光ダイオード２２ｂの底部が当接される角度θがほぼ２０度の傾斜した取付面２３ａが設けられ、内部に第２の群の発光ダイオード２２ｂのリード線が挿通される配線溝２３ｂが設けられている。配線溝２３ｂには、第２の群の発光ダイオード２２ｂのリード線の挿通作業を容易にするために、中途部に外部へ開放された開放部２３ｃが設けられている。
【００３１】
回路用素子２４は、発光ダイオード２２に接続される回路を構成するダイオード２４ａ，抵抗２４ｂからなる。この回路用素子２４は、リード線が表面から基板２１のスルーホール２１ｃに挿通されて導体パターン２１ｂに接続されることで基板２１に搭載されている。なお、この回路用素子２４については、放射状に配置された第２の群の発光ダイオード２２ｂの間のスペースに配置され、発光ダイオード２２の光照射の障害となることが避けられている。
【００３２】
レンズ体２５は、透明の合成樹脂材で内面にダイヤモンドカット等の溝が刻設されたカップ形に形成され、搭載された発光ダイオード２２を含めて基板２１の表面の全体を覆う格好となる。このレンズ体２５は、基板２１に嵌合されるようにしてネジ２８及び接着剤（防水構造）で外装部材１の取付用台板１２に取付けられている。
【００３３】
この形態によると、発光ダイオード２２の光照射の方向が第１の群の発光ダイオード２２ａと第２の群の発光ダイオード２２ｂとの組合わせによって三次元的に設定されるため、光照射による表示範囲の拡張が充分になされる。そして、三次元的な方向に設定された光照射がレンズ体２５によってさらに拡散されるため、光照射による表示範囲の拡張がより充分になされることになる。
【００３４】
また、第２の群の発光ダイオード２２ｂが台座２３を介して基板２１に搭載されているため、第２の群の発光ダイオード２２ｂのリード線が屈曲された状態で露出されるのが避けられとともに、第２の群の発光ダイオード２２ｂの光照射の方向が正確に固定される。従って、第２の群の発光ダイオード２２ｂの光照射の方向が確実に保持され、光表示機能の精度が高くなるとともに耐久性も高くなる。
【００３５】
以上、図示した各例の外に、 第２の群の発光ダイオード２２ｂの各光照射の方向を異ならせるようにすることも可能である。
【産業上の利用可能性】
【００３６】
本発明に係る発光表示装置は、車両用表示灯以外に広範な発光表示に適用することが可能である。
【図面の簡単な説明】
【００３７】
【図１】本発明に係る発光表示装置を実施するための最良の形態の全体図であり、（Ａ）に平面断面図が示され、（Ｂ）に一部切断の側面図が示されている。
【図２】図１の要部の拡大背面図である。
【図３】図１の他の要部の拡大断面図である。
【符号の説明】
【００３８】
１            外装部材
２            内装部材
２１          基板
２２          発光ダイオード
２２ａ        第１の群の発光ダイオード
２２ｂ        第２の群の発光ダイオード
２３          台座
２３ａ        取付面
２３ｂ        配線溝
２４          回路用素子
２５          レンズ体
【図１】
2005208396.tif 000003
【図２】
2005208396.tif 000004
【図３】
2005208396.tif 000005